(57)【要約】【課題】係合爪と液口栓の係合の精度を良くし、斜め締めによる不具合の生じることがなく、また、液口栓の締付冶具が小型で構造が簡単な液口栓の締付用治具を提供する。【解決手段】上面に多数の放射状リブを有する液口栓を蓄電池の注液口に締付けるための蓄電池の液口栓締付用冶具において、該液口栓締付用治具は、栓締め機と係合する嵌着部が取り付けられた取付板と、該取付板に一体に取り付けられ、液口栓の上面の放射状リブの間に係合する複数の係合爪と、該取付板に係合爪を囲繞して一体に取り付けられ、液口栓の上部側面を囲むリング体とから成る蓄電池の液口栓締付用治具。【選択図】図１
0003116004.tif 000002
【実用新案登録請求の範囲】
【請求項１】
上面に多数の放射状リブを有する液口栓を蓄電池の注液口に締付けるための蓄電池の液口栓締付用冶具において、該液口栓締付用治具は、栓締め機と係合する嵌着部が取り付けられた取付板と、該取付板に一体に取り付けられ、液口栓の上面の放射状リブの間に係合する複数の係合爪と、該取付板に係合爪を囲繞して一体に取り付けられ、液口栓の上部側面を囲むリング体とから成ることを特徴とする蓄電池の液口栓締付用治具。
【請求項２】
該液口栓締付用治具の係合爪は、幅方向及び長さ方向において液口栓のリブと僅かにずれを許容する間隔とすることを特徴とする請求項１記載の蓄電池の液口栓締付用治具。
【請求項３】
該液口栓締付用治具の係合爪の数は、液口栓に設けられたリブ間の数と同一とすることを特徴とする請求項１および請求項２記載の蓄電池の液口栓締付用治具。
【考案の詳細な説明】
【技術分野】
【０００１】
本考案は、蓄電池の液口栓の締付用治具に関するものである。
【背景技術】
【０００２】
液口栓締付用冶具は、栓締め機、例えば電動ドライバーに取り付けられ、回動して液口栓を蓄電池の注液口へ締付けるものである。
特に、上面に多数の放射状リブを有する液口栓を蓄電池の注液口へ螺合し締付け付けるためのこれら冶具は、従来、図５や図６に示される様な構造となっている。
図５は側面図で、円盤状の取付板１１の上面には栓締め機と係合して取付けられる段付き円柱形状の嵌着部１２が突出して一体に形成され、その下面には係合爪１３が一体に形成されている。この係合爪１３の形状は略長方形であり、先端部には傾斜面１３aが形成されている。この係合爪１３は、図６の底面図に示す通り取付板１１の周側縁に等間隔に４本一体に形成されているものである。
【０００３】
そして、蓄電池の注液口への液口栓の締付け作業は次の様に行われる。
即ち、蓄電池の蓋に開口された注液口へ、図７、図８に示す液口栓が供給される。この液口栓２は図７の側面図に示す様に上部につまみ部２１を有し、中央に螺子部２２を有し、下部に円筒部２３を有するもので、全体として円筒形状を成すもので、図８の上面図に示す様に、上部のつまみ部２１は、円形鍔部２１１の中央に大きな円筒部２１２を形成し、その外周側面に放射状の多数のリブ２１３形成したものである。なお、図中、２１４は円筒部２１２の上面に穿孔された排気孔、２３１は円筒部２３に形成された排気用スリット、３は螺子部に挿着されたパッキングである。
【０００４】
これら液口栓を蓄電池の注液口へ、その下部円筒部を挿通して供給し、この状態で、或いは作業者によって手で仮締めを行った後、電動ドライバーに取付けられた液口栓締付用冶具により所定のトルクで本締めを行うものであった。しかしながら、このような冶具では液口栓の上面に放射状に形成されたリブに係合爪が係合せず栓を締付けることが出来ない場合や、液口栓が斜めの状態で無理に締付けられる斜め締めの状態が発生する等の不具合が発生していた。
【０００５】
この問題を解決する為に、上面に放射状のリブを有し該リブ間の間隔は該リブの上面幅より大きい液口栓を、蓄電池の注液口に締付ける蓄電池の液口栓の締付装置において、回転軸と前記液口栓に先端部を嵌合する案内筒と、該案内筒に嵌合配置される回転体および円板とからなり、前記回転軸および回転筒は連動し昇降自在であり、前記回転体はその底板から円形に配設突接された複数の係合爪を有し、前記円板はその周縁に複数の溝を有すると共にその下面から円形に配接突接された複数の案内爪を有するものであって、該液口栓締付け装置は先ず案内爪を液口栓に当接させ、次いで係合爪をリブに係合させてその回動により栓の締付けを行う装置が提案され実用されている（特許文献１）。
【０００６】
【特許文献１】特開昭５７−１６８４６６号公報
【考案の開示】
【考案が解決しようとする課題】
【０００７】
しかしながら、この特許文献１に記載される装置は複雑且つ大掛かりな構造であり、更に、品種により液口栓の大きさやリブの数が変わる毎にこの装置を交換しなければならないが、大型であり交換作業が煩わしい等の問題がある。
【０００８】
このような背景の下、係合爪と液口栓の係合の精度を良くし、斜め締めによる不具合の生じることがなく、また、液口栓の締付冶具が小型で構造が簡単な液口栓の締付用治具を提供することが望まれる。
【課題を解決するための手段】
【０００９】
本考案は、上面に放射状にリブを有する液口栓を、鉛蓄電池の注液口に締め付ける鉛蓄電池の液口栓締付用治具において、該液口栓締付用治具は栓締め機と係合する嵌着部が取り付けられた取付板と、該取付板に一体に取り付けられ、液口栓の上面の放射状リブの間に係合する複数の複数の係合爪と、該取付板に係合爪を囲繞して一体に取り付けられ、液口栓の上部側面を囲むリング体とから成ることを特徴とするものである。
【００１０】
また、冶具の係合爪は、幅方向及び長さ方向において液口栓のリブと僅かにずれを許容する間隔とするものである。
【００１１】
また、冶具の係合爪の数は、液口栓に設けられたリブ間の数と同一とするものである。
【考案の効果】
【００１２】
本考案では、治具の形状、特に複数の係合爪とこれを囲繞して一体に取付けられ、液口栓の上部側面を囲むリング体により、液口栓が電槽蓋の注液口に挿通して供給された際に多少の傾斜があった場合にも電槽と液口栓を確実に螺着締付けることが可能であり、斜め締めによる不具合を大幅に低減することができる。また、係合爪とリング体を一体形成することにより、液口栓の冶具の構造を簡易的且つ小型にすることが可能である。
【考案を実施するための最良の形態】
【００１３】
以下に本考案の実施の形態を図１〜図３を用いて説明する。図１は、本考案の一実施形態を示す治具の断面図、図２は冶具の底面図、図３は冶具の上面図である。なお、同一符号は同一構成部材を示す。
【００１４】
図１に示す通り、本考案の液口栓の締付用治具１は、取付板１１と嵌着部１２と係合爪１３とを備えることは従来と変わりはない。本考案によれば、この締付用冶具にリング体１４を一体に取付けたことが従来と相違する。この治具１は、先ず最外周に形成されているリング体１４以外の部分を切削加工により形成し、次に予め形成しておいたリング体１４を取付板１１の外周に挿通し、互いに溶接によって一体としたものである。
【００１５】
取付板１１の上面に、栓締め機（図示せず）の先端に嵌着される部分として上部の細径部に凹溝が形成され、下部が略円柱形の太形部からなる嵌着部１２が従来と同様に形成されている。この嵌着部は栓締め機の凹部受け入れ部に挿入嵌着されて冶具が交換可能に取り付けられる。
【００１６】
取付板１１の下面には、図２に示す底面図の通り、取付板１１の外周に沿って配置突設された係合爪１３が等間隔に複数本設けられている。この係合爪１３は液口栓上面のリブ間に挿入して液口栓に係合する。
【００１７】
本考案では、更に該取付板１１の外周に、係合爪１３を囲繞してリング体１４が、図３の上面図に示す通り、取付板１１とリング体１４が部分的に溶接され、一体に取り付けられている。
【実施例】
【００１８】
図１〜図３に示す冶具１の取付部１１、嵌着部１２および係合爪１３を切削加工により製作した。これらはステンレス製である。取付部１１は円形とし、その上面に円柱状の嵌着部１２を形成した。この嵌着部１２は大径部１２１とその上方の小径部１２２からなり、大径部の両側面に平坦部１２３を形成し、小径部はその外周に凹溝１２４を形成すると共に上端を半球状に加工した。
【００１９】
取付板１１の下面にはその外周側に沿って係合爪１３を形成した。形成した係合爪１３の数は、図７、図８に示す液口栓２の上面に等間隔で配置された８本の放射状のリブ２１３により形成された８つのリブ間凹所に対応して８本とし、その断面はリブ間凹所の形状に併せて略三角形状とし、互いに等間隔に形成し、その間に液口栓２のリブ２１３が挿通される間隔とした。係合爪１３間に液口栓２のリブ２１３が挿通された状態を図４に示し通り、隣接する係合爪１３間の間隔はリブ２１３の肉厚より僅かに大きくしずれを許容する間隔とした。なお、取付板１１の下面中央には凹溝１１１を形成した。この凹部は図８に示す液口栓２の上方に突出している円筒部２１２の上端が該取付板１１に当接しない様にする為のものである。結果、冶具１と液口栓２は、液口栓２のリブ２１３上端と冶具１の取付板１１の下面、又は、冶具１の係合爪１３の下端と液口栓２の円形鍔部２１１の上面がそれぞれ当接する様になる。
【００２０】
更に、冶具１には、別途製作したステンレス製で中空の円形リング体１４が取付板１１の外周に部分的に溶接され（点線で囲まれたaが溶接部を示す）、取り付けられ、係合爪１３が囲繞される。
【００２１】
一方、栓締め機（図示せず）は、電動ドライバーとこれの回転軸に接続されたユニバーサルシャフトとそのシャフトの先端にバネにより前進後退し得る様に取り付けられた取付部とから構成され、該取付部には冶具１の嵌着部１２の外形とほぼ同形に形成された凹部受け入れ部が形成され、上記作製された冶具１は嵌着部１２の凹溝１１１にＯリングを嵌めて該凹部受け入れ部に強挿することでＯリングにより栓締め機の凹部受け入れ部に冶具１の嵌着部１２が固定され、冶具１が栓締め機に取付けられる。
【００２２】
そして、蓄電池の蓋に開口された注液口へ液口栓が供給され、該電動ドライバーの下方へ移動して来た蓄電池に対し、電動ドライバーと共に回転された冶具が下降し、該冶具のリング体が液口栓の上部側面、即ち多数形成された放射状リブの外側、を囲み係合爪と液口栓のリブが係合して該液口栓を回動させ、液口栓を注液口へ螺着して所定トルクで締付けるものである。
【００２３】
この際、液口栓が注液口に多少傾斜して供給されていても、回転している冶具１のリング体により正立状態に戻されてその係合爪とリブが係合して正しく螺着締付されるものである。即ち、傾斜した液口栓の何れかのリブに冶具の係合爪が当って液口栓を回動させるが、この際回動した液口栓がリング体の内壁に接触しながら回動するので正立の状態にされ、やがて全ての係合爪が全てのリブ間に挿入して全てのリブに係合し正しく螺着締付され、リング体の無い従来の冶具の様に無理やり斜めの状態で締付けられることは無い。
【００２４】
更に、リブの幅に僅かにずれを許す間隔とすることで、係合爪がリブと係合する際に回転する係合爪が激しくリブに当ることがなく、液口栓を跳ね飛ばすことが無くなる。
【００２５】
更に、係合爪１１を液口栓２に設けられたリブの数と同一とすることで、係合を確実なものとし得るものである。
【００２６】
（比較例）
図５（側面図）、図６（底面図）に示すリング体を備えない従来の治具（係合爪が４本で刃の横幅が狭いもの）を用いて実施例と同様に液口栓の電槽蓋への螺着締付を行った。
【００２７】
６セルモノブロック式の鉛蓄電池３３個（締付ける液口栓の数は１９８個）に対し、本発明実施例の冶具および従来の冶具を用いて液口栓の螺着不具合の確認を行った。本考案の治具を用いた場合は液口栓の螺着不具合を起こすものはなかった。一方、従来の治具を用いた場合は１９８個中４個の螺着不具合があり、いずれも斜め締めが生じていた。
【００２８】
以上の結果より、本考案治具を用いることにより液口栓を確実に螺着することが可能であり、斜め締めによる不具合を低減することができた。
【図面の簡単な説明】
【００２９】
【図１】本考案一実施形態を示す治具の断面図。
【図２】本考案一実施形態を示す治具の底面図。
【図３】本考案一実施形態を示す治具の上面図。
【図４】係合爪間にリブが挿入された状態を示す図。
【図５】従来の治具の側面図。
【図６】従来の治具の底面図。
【図７】液口栓の側面図。
【図８】液口栓の上面図。
【符号の説明】
【００３０】
１      治具
１１    取付板
１２    嵌着部
１３    係合爪
１４    リング体
２      液口栓
２１    つまみ部
２１３  リブ
２２    螺子部
【図１】
0003116004.tif 000003
【図２】
0003116004.tif 000004
【図３】
0003116004.tif 000005
【図４】
0003116004.tif 000006
【図５】
0003116004.tif 000007
【図６】
0003116004.tif 000008
【図７】
0003116004.tif 000009
【図８】
0003116004.tif 000010